(57)【要約】【課題】施工の手間を軽減できるように表示システム。【解決手段】指令信号を発信する発信機６と、発信機６の指令信号を受信機８で受けて表示具９を表示させる表示装置７とを備え、スイッチ又はコンセント等の配線器具１０と表示装置７とを隣接して配置したこと。【効果】複数本の配線１２を揃えて配線器具１０及び表示装置７の隣接箇所まで引き込むことが可能となり、配線器具１０及び表示装置７への配線工事が簡単になって施工の手間を軽減できる。【選択図】図１
2007155995.tif 000002
【特許請求の範囲】
【請求項１】
指令信号を発信する発信機と、該発信機の指令信号を受信機で受けて表示具を表示させる表示装置とを備えた表示システムにおいて、スイッチ又はコンセント等の配線器具と前記表示装置とを隣接して配置したことを特徴する表示システム。
【請求項２】
前記表示具が発光体及び該発光体の光を受けて発光表示する表示部を備え、該発光体及び前記受信機を前記配線器具とともに取付枠に取り付け、該取付枠に取り付けて覆うカバーに上記表示部を形成した請求項１記載の表示システム。
【請求項３】
前記発光体及び前記受信機は一体化されている請求項２記載の表示システム。
【請求項４】
前記取付枠を固定する配線用ボックスに、前記受信機に接続する無線用アンテナが取り付けられている請求項２又は３記載の表示システム。
【請求項５】
前記受信機に接続する無線用アンテナとして導電性素材から成る前記取付枠を利用した請求項２又は３記載の表示システム。
【請求項６】
前記配線器具がトイレ照明用スイッチ及び／又はトイレ換気扇用スイッチであり、前記発信機がトイレ設備の起動信号に基づいて前記指令信号を発信するものである請求項１乃至５のいずれか１項に記載の表示システム。
【発明の詳細な説明】
【技術分野】
【０００１】
本発明は、発信機からの指令信号を受けて「トイレ使用中」等の部屋の現況を表示する表示システムに関するものである。
【背景技術】
【０００２】
従来、トイレ使用中を表示する表示システムには、特許文献１に記載の如く、便座本体の着座センサーや人体検知センサーで、人がトイレ内に入り使用中であることを検知した時に、発信機から受信機に検知信号を送り、この信号に基づきトイレ室外の表示灯からなる表示具を点灯させて表示するものがある。
【特許文献１】特開２００３−２９００８３公報
【発明の開示】
【発明が解決しようとする課題】
【０００３】
しかし、前記表示システムは、トイレ室外に受信機を設けた表示灯を配置するとき、受信機及び表示灯を設ける箇所まで電源配線を別途引く必要があり、施工に多くの手間を必要する欠点がある。そこで、本発明は、施工の手間を軽減できる表示システムを提供することを目的とする。
【課題を解決するための手段】
【０００４】
施工の手間を軽減できるように請求項１記載の本発明が採用した手段は、指令信号を発信する発信機と、該発信機の指令信号を受信機で受けて表示具を表示させる表示装置とを備えた表示システムにおいて、スイッチ又はコンセント等の配線器具と前記表示装置とを隣接して配置したことを特徴する表示システムである。
【０００５】
見栄え良くするために請求項２記載の本発明が採用した手段は、前記表示具が発光体及び該発光体の光を受けて発光表示する表示部を備え、該発光体及び前記受信機を前記配線器具とともに取付枠に取り付け、該取付枠に取り付けて覆うカバーに上記表示部を形成した請求項１記載の表示システムである。
【０００６】
扱い易くして施工の手間を軽減するために請求項３記載の本発明が採用した手段は、前記発光体及び前記受信機は一体化されている請求項２記載の表示システムである。
【０００７】
無線方式の場合の施工の手間を軽減するために請求項４記載の本発明が採用した手段は、前記取付枠を固定する配線用ボックスに、前記受信機に接続する無線用アンテナが取り付けられている請求項２又は３記載の表示システムである。
【０００８】
無線方式の場合の施工の手間を軽減するために請求項５記載の本発明が採用した手段は、前記受信機に接続する無線用アンテナとして導電性素材から成る前記取付枠を利用した請求項２又は３記載の表示システムである。
【０００９】
簡単にトイレに適用するために請求項６記載の本発明が採用した手段は、前記配線器具がトイレ照明用スイッチ及び／又はトイレ換気扇用スイッチであり、前記発信機がトイレ設備の起動信号に基づいて前記指令信号を発信するものである請求項１乃至５のいずれか１項に記載の表示システムである。
【発明の効果】
【００１０】
請求項１記載の本発明は、配線器具と表示装置とを隣接して配置することで、両者の隣接箇所まで配線を揃えて引き込むことが可能となり、配線器具及び表示装置への配線工事が簡単になって施工の手間を軽減できる。
【００１１】
請求項２記載の本発明は、表示具本体部がカバーで覆われ見えずにカバーの表示部のみが発光表示するので見栄を良くできる。
【００１２】
請求項３記載の本発明は、発光体及び受信機が一体化で取り扱い易くなり施工の手間を軽減できる。また、発光体及び受信機の一体化で小型化することも可能となる。
【００１３】
請求項４記載の本発明は、ボックスに取り付けられている無線用アンテナを受信機に接続することでアンテナ工事を完了できるため、無線方式の場合の施工の手間を更に軽減できる。
【００１４】
請求項５記載の本発明は、無線用アンテナとなる取付枠に受信機を接続することでアンテナ工事を完了できるため、無線方式の場合の施工の手間を更に軽減できる。
【００１５】
請求項６記載の本発明は、発信機がトイレ室に設けたトイレ設備の起動信号を利用することで新たに人体検知センサを設ける必要がなくなり、簡単にトイレに適用することができる。
【発明を実施するための最良の形態】
【００１６】
本発明に係る表示システム（以下、「本発明表示システム」と言う。）を図面に示す実施形態に基づいて説明する。
【００１７】
（第１の実施の形態）
図１乃至図５は本発明表示システムをトイレに適用した第１の実施の形態を示すものであり、図１はトイレ２の全体を示す部分断面図した正面図、図２は本発明表示システム１の構成部材の各々を示す正面図であり、同図（Ａ）は配線用ボックス１７、同図（Ｂ）は表示具本体部１６を取り付けた取付枠１８、同図（Ｃ）はスイッチ１０ａ，１０ｂからなる配線器具を取り付けた取付枠１８、同図（Ｄ）はカバー枠１９、同図（Ｅ）はカバー本体２０、図３は各構成部材を分離した状態を示す側面図、図４は本発明表示システムを構成する配線器具付き表示装置１１の組立て手順を示す正面図であり、同図（Ａ）は壁Ｗに埋設した配線用ボックス１７に配線器具付きの取付枠１８と表示具本体部付き取付枠１８を取り付けた状態、同図（Ｂ）は両取付枠１８，１８にカバー枠１９を取り付けた状態、同図（Ｃ）はカバー本体２０を取り付けた完成状態、図５は本発明表示システムを構成する配線器具付き表示装置１１の配線図である。
【００１８】
図１に示すトイレ２は、トイレ室内２ａに設置された便器３と、天井等に取り付けられてトイレ室内２ａを照明する照明具４と、壁等に取り付けられてトイレ室内２ａを換気する換気扇５と、トイレ使用中を表示する本発明表示システム１を備えている。本発明表示システム１は、人がトイレ室内２ａに入り使用中であることを検知して指令信号を発信する発信機６と、発信機６の指令信号を受信機８で受けて表示具９を表示させる表示装置７と、引き込んだ配線が接続される配線器具であるスイッチ１０とを備えたものであり、表示装置７及びスイッチ１０を隣接させて配置して配線器具付き表示装置１１を形成するものである。配線器具付き表示装置１１は、扉付き出入口２ｃの脇のトイレ室外壁Ｗに取り付けられ、トイレ室外２ｂから表示を確認できるようになっている。
【００１９】
上記発信機６は、トイレ室内２ａに入っている人を検知するセンサー（例えば、便器３に組み込んだ着座センサーや、トイレ室内２ａの壁面又は天井等に取り付けた人体検知センサー）と対となっており、センサーから検知信号を受けたときに指令信号を受信機８へ発信するようになっている。また、発信機６は、トイレ室に設けられた便器２等のトイレ設備の起動信号に基づいて指令信号を受信機へ発信するように構成することも可能である。発信機６は、便器３に組み込まれたり、壁面又は天井等に取り付けられたりする。発信機６と受信機８との間の通信は、本例では無線方式を採用して配線工事の手間を軽減しているが、有線方式を採用することも勿論可能である。
【００２０】
前記本発明表示システム１の主要部である前記配線器具付き表示装置１１は、図５に示す如く、配線器具である照明用スイッチ１０ａ及び換気扇用スイッチ１０ｂと表示装置７とを隣接させ、両スイッチ１０ａ，１０ｂ及び表示装置７に配線１２を接続してある。表示装置７は、前記受信機８、前記表示具９及び電源回路１５を備え、配線１２の交流電気を電源回路１５で降圧整流( 例えば、ＤＣ５Ｖ) して受信機８及び表示具９へ給電するように回路構成してある。表示具９は、ＬＥＤ等からなる発光体１３と、発光体１３の光を受けて発光表示する表示部１４とを備えている。表示部１４は、後述するカバー本体２１に一体に形成されている。これら発光体１３，受信機８及び電源回路１５は、合成樹脂製等のケース内に格納する等して一体化して表示具本体部１６となっている。
【００２１】
本例の配線器具付き表示装置１１は、図２に示す如く、壁Ｗ（図１参照）の凹部に埋設してビス固定される配線用ボックス１７と、前記表示具本体部１６を着脱可能に取り付けた取付枠１８と、照明用スイッチ１０ａ及び換気扇用スイッチ１０ｂからなるスイッチ１０を着脱可能に取り付けた取付枠１８と、カバー枠１９及びカバー本体２０からなるカバー２１とからなる。カバー本体２０は、前記発光体１３の光が通過する透明素材又は開口からなる透光部１４ａと表示図柄１４ｂとからなる前記表示部１４が形成されると共に、前記スイッチ１０の操作部を露出させる開口部２０ａ，２０ａが形成されている。配線用ボックス１７には、その適所に、発信機６と受信機８とを無線方式で通信するときの受信機用の無線用アンテナ２２を取り付けてある。前記無線用アンテナ２２は、配線用ボックス１７に取り付け以外に、導電性素材から成る取付枠１８をアンテナとする方式や、交流配線１２をアンテナとする方式に置換することも可能である。
【００２２】
本例の配線器具付き表示装置１１の施工手順は、図３及び図４に示す如く、壁Ｗの凹部Ｗａに埋設した配線用ボックス１７の内部へ配線１２（図５参照）を引き込んで準備し、次に、スイッチ１０ａ，１０ｂ及び表示具本体部１６に配線１２をコネクター２４等を用いる等して結線すると共に、表示具本体部１６の受信機８に無線用アンテナ２２のリード線２３を結線した後に、表示具本体部１６付き取付枠１８及びスイッチ１０付き取付枠１８を配線用ボックス１７にビス２５で固定し（図４（Ａ）参照）、続けて、両取付枠１８，１８にカバー枠１９をビス２６で固定し（同図（Ｂ）参照）した後に、カバー枠１９にカバー本体２０を係合する等して固定して（同図（Ｃ）参照）施工を終了する。
【００２３】
なお、本例の配線器具付き表示装置１１は、配線ボックス１７（図２（Ａ）参照）を用いて取付枠１８を固定しているが、壁Ｗの開口部に取付枠１８を直接固定することも可能である。
【００２４】
本例の本発明表示システム１は、トイレ室内２ａに入っている人を検知したセンサーの検知信号に基づいて発信機６が指令信号を発信すると、該指令信号を受けた配電具付き表示装置１１の受信機８が表示具９を表示させ、トイレ室の外側２ｂでトイレ使用中の現況を知らせるので、使用者確認のためのノックを無くして使用者に不快感を与えないようにできる。本発明表示システム１は、配線器具１０及び表示装置７を隣接配置して成る配線器具付き表示装置１１まで複数本の配線１２を揃えて引き込むことが可能となり、配線器具付き表示装置１１への配線工事が簡単になって施工の手間を軽減できる。また、本発明表示システム１は、表示具本体部１１がカバー２１で覆われて見えずに、カバー２１の表示部１４のみが発光表示するので見栄を良くできる。本発明表示システム１は、配線用ボックス１７に取り付けられている無線用アンテナ２２と受信機６とを結線するか、無線用アンテナとなる取付枠１８と受信機６とを結線することでアンテナ工事を完了できるため、無線方式の場合の施工の手間を更に軽減できる。更に、本発明表示システム１は、発信機６がトイレ室に設けた便器３等のトイレ設備の起動信号を利用する場合には、新たに人体検知センサを設ける必要がなくなり、簡単にトイレに適用することができる。
【００２５】
（第２の実施の形態）
図６は本発明表示システムの第２の実施の形態における配線器具付き表示装置４１の正面図であり、同図（Ａ）はカバー枠及びカバー本体を取り付ける前の状態を示し、同図（Ｂ）はカバー枠１９及びカバー本体２０を取り付けた状態を示すものであり、発信機６（図１参照）の図示を省略している。
【００２６】
本実施の形態に係る本発明表示システム３１が前記第１の実施の形態に係る本発明表示システム１（図１〜図５参照）と相違する点は、一個の取付枠１８に小型化した表示具本体部１１と一個のスイッチ１０を取り付けたことである。この相違点以外の構成は、前記第１の実施の形態と実質的に同一であり、図６に示す同一符号は同一の構成部材等を示している。
【００２７】
（第３の実施の形態）
図７は本発明表示システムの第３の実施の形態における配線器具付き表示装置６１の正面図であり、同図（Ａ）はカバー枠及びカバー本体を取り付ける前の状態を示し、同図（Ｂ）はカバー枠１９及びカバー本体２０を取り付けた状態を示すものであり、発信機６（図１参照）の図示を省略している。
【００２８】
本実施の形態に係る本発明表示システム５１が前記第１の実施の形態に係る本発明表示システム１（図１〜図５参照）と相違する点は、一個の取付枠１８に小型化した二個以上の表示具本体部１１を取り付けたことである。この相違点以外の構成は、前記第１の実施の形態と実質的に同一であり、図７に示す同一符号は同一の構成部材等を示している。
【００２９】
カバー本体２０に形成した表示部１４は、発光体１３の光が通過する半透明部１４ａの裏面側に表示文字（「使用中」）１４ｂを付し、発光体１３が発光しているときにはカバー表面側から表示文字１４ｂが見え（図７（Ｂ）の上方の状態）、発光体１３が発光していないときにはカバー表面側から表示文字１４ｂが見えない（図７（Ｂ）の下方の状態）ようになっている。
【産業上の利用可能性】
【００３０】
本発明表示システムは、トイレに適用する以外に、浴室、作業工程の異なる複数の作業部屋を備え作業施設、または、室外から使用の確認が困難な写真用暗室等の部屋に適用して部屋の状況を表示させることも可能である。また、配線器具は、スイッチ以外に、コンセント、タイマー付きスイッチ、給湯機等のリモコン又はキッチン用の照明具等のように配線を引き込む器具とすることも勿論可能である。更に、配線器具付き表示装置を設ける箇所は、部屋の出入口近辺以外に、部屋から離れた管理室等を選択することも可能である。
【図面の簡単な説明】
【００３１】
【図１】本発明表示システムをトイレ施設に適用した第１の実施の形態を示すものであり、トイレ施設の全体を示す部分断面図した正面図である。
【図２】同実施の形態に係る本発明表示システムの構成部材の各々を示す正面図であり、同図（Ａ）は配線用ボックス、同図（Ｂ）は表示具本体部を取り付けた取付枠、同図（Ｃ）はスイッチからなる配線器具を取り付けた取付枠、同図（Ｄ）はカバー枠、同図（Ｅ）はカバー本体である。
【図３】同実施の形態に係る各構成部材を分離した状態を示す側面図である。
【図４】同実施の形態に係る本発明表示システムを構成する配線器具付き表示装置の組立て手順を示す正面図であり、同図（Ａ）は躯体に埋設した配線用ボックスに配線器具付きの取付枠と表示具本体部付き取付枠を取り付けた状態、同図（Ｂ）は両取付枠にカバー枠を取り付けた状態、同図（Ｃ）はカバー本体を取り付けた完成状態である。
【図５】同実施の形態に係る本発明表示システムを構成する配線器具付き表示装置の配線図である。
【図６】本発明表示システムの第２の実施の形態における配線器具付き表示装置の正面図であり、同図（Ａ）はカバー枠及びカバー本体を取り付ける前の状態を示し、同図（Ｂ）はカバー枠及びカバー本体を取り付けた状態を示すものであってカバー本体の一部を破断している。
【図７】本発明表示システムの第３の実施の形態における配線器具付き表示装置の正面図であり、同図（Ａ）はカバー枠及びカバー本体を取り付ける前の状態を示し、同図（Ｂ）はカバー枠及びカバー本体を取り付けた状態を示すものであってカバー本体の一部を破断している。
【符号の説明】
【００３２】
１（３１，５１）…本発明表示システム、６…発信機、７…表示装置、８…受信機、９…表示具、１０…スイッチ（配線器具）、１１…配線器具付き表示装置、１２…配線、１３…発光体、１４…表示部、１６…表示具本体部、１８…取付枠、２２…受信機用アンテナ
【図１】
2007155995.tif 000003
【図２】
2007155995.tif 000004
【図３】
2007155995.tif 000005
【図４】
2007155995.tif 000006
【図５】
2007155995.tif 000007
【図６】
2007155995.tif 000008
【図７】
2007155995.tif 000009